(57)【要約】【課題】操作の煩わしさを解消することができるデータ放送コンテンツダイレクト操作制御装置及びダイレクトリモコン、並びに、データ放送コンテンツダイレクト操作制御プログラムを提供する。【解決手段】データ放送コンテンツダイレクト操作制御装置５は、伝送変換手段３とタッチパネルディスプレイ７と学習リモコン９とを備えたデータ放送操作システム１において、伝送変換手段３から出力された変換データ及びタッチパネルディスプレイ７から出力された位置情報を入力とし、タッチパネルディスプレイ７にデータ放送コンテンツを出力すると共に、学習リモコン９に制御信号を出力するものであって、位置検出手段５ｃと、項目判定手段５ｄと、操作信号組合せ生成手段５ｅと、制御信号出力手段５ｇと、を備える。【選択図】図１
2008252754.tif 000002
【特許請求の範囲】
【請求項１】
データ放送コンテンツを受信する受信手段から出力されたデータ放送コンテンツを伝送すると共に、当該データ放送コンテンツを記述した記述言語に基づいて、当該データ放送コンテンツを変換データに変換する伝送変換手段と、
前記データ放送コンテンツを表示させると共に、接触された画面上の箇所の位置情報を出力するタッチパネルディスプレイと、
前記データ放送コンテンツを表示する表示手段に表示されたカーソルを操作する操作信号を前記受信手段に出力するリモコンと、を備えたデータ放送操作システムにおいて、前記伝送変換手段から出力された変換データ及び前記タッチパネルディスプレイから出力された位置情報を入力とし、前記タッチパネルディスプレイにデータ放送コンテンツを出力すると共に、前記リモコンに制御信号を出力するデータ放送コンテンツダイレクト操作制御装置であって、
前記タッチパネルディスプレイから出力された位置情報を取得する位置情報取得手段と、
前記伝送変換手段から出力された変換データに含まれる所定の記述に基づいて、前記データ放送コンテンツに含まれる各項目を検出すると共に、前記位置情報取得手段で取得された位置情報に基づいて、当該位置情報に該当する項目を判定する項目判定手段と、
この項目判定手段で判定された項目まで、前記カーソルを移動させ当該項目を決定するのに要する前記操作信号の組合せを、予め項目の位置と操作信号とを対応付けておいた操作信号変換テーブルを参照して生成する操作信号組合せ生成手段と、
この操作信号組合せ生成手段で生成された操作信号の組合せを前記リモコンが出力するように制御する制御信号を出力する制御信号出力手段と、
を備えることを特徴とするデータ放送コンテンツダイレクト操作制御装置。
【請求項２】
前記データ放送コンテンツの視聴開始又は視聴終了の操作を少なくとも含む基本的な操作に関する基本操作ボタンを生成して、前記タッチパネルディスプレイに出力するボタン生成手段を備えることを特徴とする請求項１に記載のデータ放送コンテンツダイレクト操作制御装置。
【請求項３】
データ放送コンテンツを受信する受信手段から伝送されたデータ放送コンテンツを入力とし、前記データ放送コンテンツを表示する表示手段に表示されたカーソルを操作する操作信号を前記受信手段に出力するダイレクトリモコンであって、
伝送されたデータ放送コンテンツを受信し、当該データ放送コンテンツを記述した記述言語に基づいて、当該データ放送コンテンツを変換データに変換する受信変換手段と、
前記データ放送コンテンツを表示させると共に、接触された画面上の箇所の位置情報を出力するタッチパネルディスプレイと、
前記タッチパネルディスプレイから出力された位置情報を取得する位置情報取得手段と、
前記受信変換手段から出力された変換データに含まれる所定の記述に基づいて、前記データ放送コンテンツに含まれる各項目を検出すると共に、前記位置情報取得手段で取得された位置情報に基づいて、当該位置情報に該当する項目を判定する項目判定手段と、
この項目判定手段で判定された項目まで、前記カーソルを移動させ当該項目を決定するのに要する前記操作信号の組合せを、予め項目の位置と操作信号とを対応付けておいた操作信号変換テーブルを参照して生成する操作信号組合せ生成手段と、
この操作信号組合せ生成手段で生成された操作信号の組合せを出力する操作信号出力手段と、
を備えることを特徴とするダイレクトリモコン。
【請求項４】
前記データ放送コンテンツの視聴開始又は視聴終了の操作を少なくとも含む基本的な操作に関する基本操作ボタンを生成して、前記タッチパネルディスプレイに出力するボタン生成手段を備えることを特徴とする請求項３に記載のダイレクトリモコン。
【請求項５】
データ放送コンテンツを受信する受信手段から出力されたデータ放送コンテンツを伝送すると共に、当該データ放送コンテンツを記述した記述言語に基づいて、当該データ放送コンテンツを変換データに変換する伝送変換手段と、
前記データ放送コンテンツを表示させると共に、接触された画面上の箇所の位置情報を出力するタッチパネルディスプレイと、
前記データ放送コンテンツを表示する表示手段に表示されるカーソルを操作する操作信号を前記受信手段に出力するリモコンと、を備えたデータ放送操作システムにおいて、前記伝送変換手段から出力された変換データ及び前記タッチパネルディスプレイから出力された位置情報を入力とし、前記タッチパネルディスプレイにデータ放送コンテンツを出力すると共に、前記リモコンに制御信号を出力するために、コンピュータを、
前記タッチパネルディスプレイから出力された位置情報を取得する位置情報取得手段、
前記伝送変換手段から出力された変換データに含まれる所定の記述に基づいて、前記データ放送コンテンツに含まれる各項目を検出すると共に、前記位置情報取得手段で取得された位置情報に基づいて、当該位置情報に該当する項目を判定する項目判定手段、
この項目判定手段で判定された項目まで、前記カーソルを移動させ当該項目を決定するのに要する前記操作信号の組合せを、予め項目の位置と操作信号とを対応付けておいた操作信号変換テーブルを参照して生成する操作信号組合せ生成手段、
この操作信号組合せ生成手段で生成された操作信号の組合せを前記リモコンが出力するように制御する制御信号を出力する制御信号出力手段、
として機能させることを特徴とするデータ放送コンテンツダイレクト操作制御プログラム。
【発明の詳細な説明】
【技術分野】
【０００１】
本発明は、データ放送コンテンツを受信する受信手段を操作するデータ放送コンテンツダイレクト操作制御装置及びダイレクトリモコン、並びに、データ放送コンテンツダイレクト操作制御プログラムに関する。
【背景技術】
【０００２】
従来、デジタル放送番組及びデータ放送コンテンツを受信するデジタルチューナと、このデジタルチューナに操作信号を出力する付属のリモコンと、当該デジタルチューナで受信したデジタル放送番組及びデータ放送コンテンツを表示する大型のディスプレイとを備えたデジタル放送番組受信システムが、一般の家庭等に普及している（例えば、特許文献１，２参照）。
【０００３】
このデジタル放送番組受信システムでは、視聴者が付属のリモコンを操作することで、デジタル放送番組を視聴中に、データ放送コンテンツを表示させることができ、また、データ放送コンテンツのみを表示させることができる。
【特許文献１】特開２００７−４３４４１号公報
【特許文献２】特開２００５−１３６５１８号公報
【発明の開示】
【発明が解決しようとする課題】
【０００４】
しかしながら、現状の付属のリモコンでは、データ放送コンテンツを視聴する際に、当該リモコンに備えられている矢印キーを使用したカーソル操作を行う必要があり、このカーソル操作では、データ放送コンテンツ中の所望のデータを視聴するのに、矢印キーを複数回押下する必要があるなど、操作が煩わしいという問題がある。
【０００５】
そこで、本発明では、前記した問題を解決し、操作の煩わしさを解消することができるデータ放送コンテンツダイレクト操作制御装置及びダイレクトリモコン、並びに、データ放送コンテンツダイレクト操作制御プログラムを提供することを目的とする。
【課題を解決するための手段】
【０００６】
前記課題を解決するため、請求項１に記載のデータ放送コンテンツダイレクト操作制御装置は、データ放送コンテンツを受信する受信手段から出力されたデータ放送コンテンツを伝送すると共に、当該データ放送コンテンツを記述した記述言語に基づいて、当該データ放送コンテンツを変換データに変換する伝送変換手段と、前記データ放送コンテンツを表示させると共に、接触された画面上の箇所の位置情報を出力するタッチパネルディスプレイと、前記データ放送コンテンツを表示する表示手段に表示されたカーソルを操作する操作信号を前記受信手段に出力するリモコンと、を備えたデータ放送操作システムにおいて、前記伝送変換手段から出力された変換データ及び前記タッチパネルディスプレイから出力された位置情報を入力とし、前記タッチパネルディスプレイにデータ放送コンテンツを出力すると共に、前記リモコンに制御信号を出力するデータ放送コンテンツダイレクト操作制御装置であって、位置情報取得手段と、項目判定手段と、操作信号組合せ生成手段と、制御信号出力手段と、を備える構成とした。
【０００７】
かかる構成によれば、データ放送コンテンツダイレクト操作制御装置は、位置情報取得手段によって、タッチパネルディスプレイから出力された位置情報を取得する。続いて、データ放送コンテンツダイレクト操作制御装置は、項目判定手段によって、伝送変換手段から出力された変換データに含まれる所定の記述に基づいて、データ放送コンテンツに含まれる各項目を検出すると共に、位置情報取得手段で取得された位置情報に基づいて、当該位置情報に該当する項目を判定する。そして、データ放送コンテンツダイレクト操作制御装置は、操作信号組合せ生成手段によって、項目判定手段で判定された項目まで、カーソルを移動させ当該項目を決定するのに要する操作信号の組合せを、予め項目の位置と操作信号とを対応付けておいた操作信号変換テーブルを参照して生成する。そして、データ放送コンテンツダイレクト操作制御装置は、制御信号出力手段によって、操作信号組合せ生成手段で生成された操作信号の組合せをリモコンが出力するように制御する制御信号を出力する。
【０００８】
請求項２に記載のデータ放送コンテンツダイレクト操作制御装置は、請求項１に記載のデータ放送コンテンツダイレクト操作制御装置において、ボタン生成手段を備えることを特徴とする。
【０００９】
かかる構成によれば、データ放送コンテンツダイレクト操作制御装置は、ボタン生成手段によって、データ放送コンテンツの視聴開始又は視聴終了の操作を少なくとも含む基本的な操作に関する基本操作ボタンを生成して、タッチパネルディスプレイに出力する。
【００１０】
請求項３に記載のダイレクトリモコンは、データ放送コンテンツを受信する受信手段から伝送されたデータ放送コンテンツを入力とし、前記データ放送コンテンツを表示する表示手段に表示されたカーソルを操作する操作信号を前記受信手段に出力するダイレクトリモコンであって、受信変換手段と、タッチパネルディスプレイと、位置情報取得手段と、項目判定手段と、操作信号組合せ生成手段と、操作信号出力手段と、を備える構成とした。
【００１１】
かかる構成によれば、ダイレクトリモコンは、受信変換手段によって、伝送されたデータ放送コンテンツを受信し、当該データ放送コンテンツを記述した記述言語に基づいて、当該データ放送コンテンツを変換データに変換する。続いて、ダイレクトリモコンは、タッチパネルディスプレイによって、データ放送コンテンツを表示させると共に、接触された画面上の箇所の位置情報を出力する。そして、ダイレクトリモコンは、位置情報取得手段によって、タッチパネルディスプレイから出力された位置情報を取得する。そして、ダイレクトリモコンは、項目判定手段によって、受信変換手段から出力された変換データに含まれる所定の記述に基づいて、データ放送コンテンツに含まれる各項目を検出すると共に、位置情報取得手段で取得された位置情報に基づいて、当該位置情報に該当する項目を判定する。そして、ダイレクトリモコンは、操作信号組合せ生成手段によって、項目判定手段で判定された項目まで、カーソルを移動させ当該項目を決定するのに要する操作信号の組合せを、予め項目の位置と操作信号とを対応付けておいた操作信号変換テーブルを参照して生成する。そして、ダイレクトリモコンは、操作信号出力手段によって、操作信号組合せ生成手段で生成された操作信号の組合せを出力する。
【００１２】
請求項４に記載のダイレクトリモコンは、請求項３に記載のダイレクトリモコンにおいて、ボタン生成手段を備えることを特徴とする。
【００１３】
かかる構成によれば、ダイレクトリモコンは、ボタン生成手段によって、データ放送コンテンツの視聴開始又は視聴終了の操作を少なくとも含む基本的な操作に関する基本操作ボタンを生成して、タッチパネルディスプレイに出力する。
【００１４】
請求項５に記載のデータ放送コンテンツダイレクト操作制御プログラムは、データ放送コンテンツを受信する受信手段から出力されたデータ放送コンテンツを伝送すると共に、当該データ放送コンテンツを記述した記述言語に基づいて、当該データ放送コンテンツを変換データに変換する伝送変換手段と、前記データ放送コンテンツを表示させると共に、接触された画面上の箇所の位置情報を出力するタッチパネルディスプレイと、前記データ放送コンテンツを表示する表示手段に表示されたカーソルを操作する操作信号を前記受信手段に出力するリモコンと、を備えたデータ放送操作システムにおいて、前記伝送変換手段から出力された変換データ及び前記タッチパネルディスプレイから出力された位置情報を入力とし、前記タッチパネルディスプレイにデータ放送コンテンツを出力すると共に、前記リモコンに制御信号を出力するために、コンピュータを、位置情報取得手段、項目判定手段、操作信号組合せ生成手段、制御信号出力手段、として機能させる構成とした。
【００１５】
かかる構成によれば、データ放送コンテンツダイレクト操作制御プログラムは、位置情報取得手段によって、タッチパネルディスプレイから出力された位置情報を取得し、項目判定手段によって、伝送変換手段から出力された変換データに含まれる所定の記述に基づいて、データ放送コンテンツに含まれる各項目を検出すると共に、位置情報取得手段で取得された位置情報に基づいて、当該位置情報に該当する項目を判定する。そして、データ放送コンテンツダイレクト操作制御プログラムは、操作信号組合せ生成手段によって、項目判定手段で判定された項目まで、カーソルを移動させ当該項目を決定するのに要する操作信号の組合せを、予め項目の位置と操作信号とを対応付けておいた操作信号変換テーブルを参照して生成し、制御信号出力手段によって、操作信号組合せ生成手段で生成された操作信号の組合せをリモコンが出力するように制御する制御信号を出力する。
【発明の効果】
【００１６】
請求項１、５に記載の発明によれば、データ放送コンテンツに含まれる項目の中で、接触された位置情報に該当する項目を決定するのに要する操作信号の組合せを生成し、この操作信号の組合せを制御する制御信号を出力することにより、従来の付属のリモコンに比べ、矢印キーによりカーソル操作を行うことがないので、操作の煩わしさを解消することができる。
【００１７】
請求項２、４に記載の発明によれば、基本的な操作に関する基本操作ボタン、例えば、「ｄ」ボタンや「戻る」ボタンを表示することで、従来の多数のボタンが存在するリモコンにおける操作の迷いが生じることなく、データ放送コンテンツの操作を簡便にすることができる。
【００１８】
請求項３に記載の発明によれば、タッチパネルディスプレイや操作信号出力手段等を備えているので、受信手段に直接、操作信号の組合せを出力することができ、従来の付属のリモコンに比べ、矢印キーによりカーソル操作を行うことがないので、操作の煩わしさを解消することができる。
【発明を実施するための最良の形態】
【００１９】
次に、本発明の実施形態について、適宜、図面を参照しながら詳細に説明する。
図１は、デジタル放送番組受信システムのブロック図である。この図１に示すように、デジタル放送番組・データ放送コンテンツ受信システムＳは、デジタル放送番組及びデータ放送コンテンツを受信して表示するもので、データ放送操作システム１と、表示手段２と、デジタルチューナ（受信手段）４とを備えている。
【００２０】
表示手段２は、デジタル放送番組及びデータ放送コンテンツを表示するもので、この実施形態では、大型の液晶ディスプレイによって構成されている。なお、この表示手段２にデータ放送コンテンツが表示されている場合には、当該データ放送コンテンツの各項目を指し示すためのカーソル（各項目の枠を色濃くする）も表示されている。
【００２１】
デジタルチューナ４は、デジタル放送番組及びデータ放送コンテンツを受信し、表示手段２及びデータ放送操作システム１に出力するものであり、操作信号（一般的に赤外線信号）を受信（受光）する受信部（受光部）を備えている。なお、デジタル放送番組・データ放送コンテンツ受信システムＳでは、表示手段２及びデジタルチューナ４について、既存のものをそのまま利用することができる。
【００２２】
（データ放送操作システムの構成）
データ放送操作システム１は、データ放送コンテンツの視聴開始・終了、視聴中における各種操作を、付属のリモコン（図示せず）が送信する操作信号と同じ操作信号を送信することで行うもので、伝送変換手段（受信変換手段を含む）３と、データ放送コンテンツダイレクト操作制御装置５と、タッチパネルディスプレイ７と、学習リモコン（リモコン）９とを備えている。また、このデータ放送操作システム１は、データ放送コンテンツの操作以外に、デジタル放送番組の操作も行うことができる。
【００２３】
伝送変換手段３は、デジタルチューナ４から出力されたデータ放送コンテンツを伝送すると共に、当該データ放送コンテンツを記述した記述言語（例えば、ＸＭＬ（ｅＸｔｅｎｓｉｂｌｅ  Ｍａｒｋｕｐ  Ｌａｎｇｕａｇｅ））に基づいて、当該データ放送コンテンツを変換データに変換するもので、映像伝送用トランスミッタ３ａと、映像伝送用レシーバ３ｂと、キャプチャユニット３ｃとを備えている。
【００２４】
映像伝送用トランスミッタ３ａは、デジタルチューナ４から出力されたデータ放送コンテンツを無線で、映像伝送用レシーバ３ｂに伝送するものである。この実施形態では、映像伝送用トランスミッタ３ａは、１．２ＧＨｚ帯を利用し、見通し１００ｍ範囲でデータ放送コンテンツを伝送している。なお、この実施形態では、無線で伝送しているが、電波状態によっては有線で伝送するように構成してもよい。
【００２５】
映像伝送用レシーバ３ｂは、映像伝送用トランスミッタ３ａから無線で伝送されたデータ放送コンテンツを受信して、キャプチャユニット３ｃに出力するものである。なお、一般的に映像伝送用トランスミッタ３ａ及び映像伝送用レシーバ３ｂは一対となっており、この実施形態では、汎用品（一般の製品）を用いている。
【００２６】
キャプチャユニット３ｃは、映像伝送用レシーバ３ｂから入力されたデータ放送コンテンツを、当該データ放送コンテンツを記述した記述言語に従って、変換データに変換するものである。なお、変換データとは、データ放送コンテンツを、データ放送コンテンツダイレクト操作制御装置５で処理可能にしたデータのことである。
【００２７】
まず、キャプチャユニット３ｃでは、映像伝送用レシーバ３ｂから出力されたデータ放送コンテンツの搬送波を取り除く。そして、一般的にデータ放送コンテンツは、ＸＭＬで記述されているので、データ放送コンテンツダイレク操作制御装置５で処理可能であれば、このＸＭＬのままデータ放送コンテンツダイレク操作制御装置５に出力してもよいし、さらに、加工しやすいように、汎用的に取り扱い可能な言語（例えば、ＶＢ（Ｖｉｓｕａｌ  Ｂａｓｉｃ））に変換してもよい。なお、所定の記述とは、ＸＭＬにおける「＜／」、「／＞」といったタグ、又は、データ放送コンテンツに含まれる項目の区切りを示す記述を指している。
【００２８】
データ放送コンテンツダイレクト操作制御装置５は、伝送変換手段３から出力された変換データと、タッチパネルディスプレイ７から出力されたタッチ位置情報（位置）とを入力とし、タッチパネルディスプレイ７にデータ放送コンテンツを出力すると共に、学習リモコン９に制御信号を出力するもので、データ放送コンテンツ出力手段５ａと、ボタン生成手段５ｂと、位置情報取得手段５ｃと、項目判定手段５ｄと、操作信号組合せ生成手段５ｅと、操作信号変換テーブル記憶手段５ｆと、制御信号出力手段５ｇとを備えている。
【００２９】
このデータ放送コンテンツダイレクト操作制御装置５は、一般的なパーソナルコンピュータで構築することができる。そして、データ放送コンテンツ出力手段５ａと、ボタン生成手段５ｂと、位置情報取得手段５ｃと、項目判定手段５ｄと、操作信号組合せ生成手段５ｅと、制御信号出力手段５ｇとは、このパーソナルコンピュータを機能させるプログラムである。
【００３０】
データ放送コンテンツ出力手段５ａは、伝送変換手段３から出力された変換データを再構築し、データ放送コンテンツにして、タッチパネルディスプレイ７に出力するものである。なお、このデータ放送コンテンツ出力手段５ａで再構築される際に、デジタルチューナ４から出力されたものと外観上は同じであるが、データ放送コンテンツに含まれる項目について、タッチ位置検出領域（具体例を後記する）が設定されている。なお、このタッチ位置検出領域を設定するのに用いた変換データ以外の変換データは、データ放送コンテンツの映像領域、データ表示領域等を構成するものである。
【００３１】
ボタン生成手段５ｂと、従来の付属のリモコンに備えられている特定のキーについて定義した基本的な操作に関する基本操作ボタンを生成し、タッチパネルディスプレイ７に出力するものである。
【００３２】
なお、基本操作ボタンは、後記するように、タッチパネルディスプレイ７の画面上において、別途フレームにまとめて表示される。また、特定のキーとは、「ｄ」ボタンや、「戻る」ボタン等である。
【００３３】
位置情報取得手段５ｃは、タッチパネルディスプレイ７から出力されたタッチ位置情報（位置情報）を取得するものである。つまり、この位置情報取得手段５ｃは、タッチパネルディスプレイ７の画面上において、視聴者によって接触（押下）された箇所を検出し、この箇所の位置情報（座標情報）を検出する。なお、このタッチ位置情報により、タッチ位置検出領域に該当しない箇所（映像領域、データ表示領域）であると判明した場合、ビープ音等が鳴るように構成しておいてもよい。このように構成することで、視聴者は、操作ミスに気付くことができる。
【００３４】
項目判定手段５ｄは、伝送変換手段３から出力された変換データに含まれる所定の記述に基づいて、又は、変換データとデータ放送コンテンツの構成若しくは表示に関するフォーマット又はデータ構造に関する情報とに基づいて、データ放送コンテンツに含まれる各項目を検出すると共に、位置情報取得手段５ｃで取得された位置情報に基づいて、検出された各項目の中から接触された箇所のタッチ位置情報に該当する項目を判定するものである。つまり、この項目判定手段５ｄは、タッチ位置検出領域の中で、視聴者によってどの項目が押下されたのかを判定するものである。
【００３５】
操作信号組合せ生成手段５ｅは、項目判定手段５ｄで判定された項目まで、カーソルを移動させ当該項目を決定するのに要する操作信号の組合せを、操作信号変換テーブル記憶手段５ｆに記憶されている操作信号変換テーブルを参照して生成するものである。
操作信号の組合せの例としては、従来の付属のリモコンにおける「矢印キー（↓）を２回押下、矢印キー（→）を３回押下」、を組み合わせたものである。
【００３６】
操作信号変換テーブル記憶手段５ｆは、予め項目の位置と操作信号とを対応付けておいた操作信号変換テーブルを記憶するもので、一般的なメモリ等によって構成されている。
この操作信号変換テーブルは、データ放送コンテンツの画面上において、例えば、画面の上から２つめの項目であれば、当該項目と矢印キー（↓）の２回とが対応付けられたものである。
【００３７】
制御信号出力手段５ｇは、操作信号組合せ生成手段５ｆで生成された操作信号の組合せを、学習リモコン９が出力するように制御する制御信号を出力するものである。
【００３８】
タッチディスプレイ７は、データ放送コンテンツダイレクト操作制御装置５で再構築されたデータ放送コンテンツ（基本操作ボタンを含む）を表示すると共に、視聴者が直接又はタッチペン等を用いて、接触（押下）した画面上の箇所について、当該箇所の位置情報（タッチ位置情報）をデータ放送コンテンツダイレクト操作制御装置５に出力するものである。
【００３９】
この実施形態では、タッチディスプレイ７は、画面サイズが７インチのものを用いており、接触した箇所の位置情報を、マウスクリック位置にエミュレートして、データ放送コンテンツダイレクト操作制御装置５に出力する抵抗膜方式のものを採用している。ちなみに、タッチパネルの種類には、この抵抗膜方式以外に、超音波表面弾性波方式、赤外線操作方式、静電容量方式のものがあり、どの様な方式のものを採用してもよい。
【００４０】
ここで、図３を参照して、タッチパネルディスプレイ７に出力されるデータ放送コンテンツの例を説明する。この図３に示したように、デジタルチューナ４の出力画面（表示手段２に表示されているものと同じ）が表示されていると共に、画面上部の別途フレームに複数の基本操作ボタンが表示されており、複数のタッチ位置検出領域が設定されている。
図１に戻る。
【００４１】
学習リモコン９は、コンピュータ制御によって、従来の付属のリモコンと同様の操作信号の任意の組合せを連続して出力可能なものである。なお、この実施形態では、学習リモコン９は、市販されているものを用いている。
【００４２】
データ放送コンテンツダイレクト操作制御装置５によれば、項目判定手段５ｄによって、データ放送コンテンツに含まれる各項目を検出し、検出された各項目の中から接触された箇所の位置情報に該当する項目を判定し、操作信号組合せ生成手段５ｅによって、判定された項目まで、カーソルを移動させ当該項目を決定するのに要する操作信号の組合せを生成して、制御信号出力手段５ｇによって、この操作信号の組合せを学習リモコン９が出力するように制御する制御信号を出力することにより、従来の付属のリモコンに比べ、矢印キーによりカーソル操作を行うことがないので、操作の煩わしさを解消することができる。
【００４３】
なお、データ放送操作システム１は、データ放送コンテンツダイレクト操作制御装置５で展開しているプログラム以外は、既存のものを組み合わせて構築しているが、新規なリモコン（ダイレクトリモコン）として構築することも可能である。
【００４４】
この場合、伝送変換部３の映像伝送用トランスミッタ３ａをデジタルチューナ４と一体化しておく必要がある（図１において、一点鎖線で区切っている）。また、学習リモコン９を用いてなくてよいので、制御信号出力手段５ｇが省略でき、代わりに、操作信号組合せ手段５ｅで生成された操作信号を直接出力する操作信号出力手段を備える必要がある。
【００４５】
（デジタル放送番組・データ放送コンテンツ受信システムの全体動作（データ放送操作システムの動作を包含））
次に、図２に示すフローチャートを参照して、デジタル放送番組・データ放送コンテンツ受信システムＳの全体動作について説明する（適宜、図１参照）。
まず、デジタル放送番組・データ放送コンテンツ受信システムＳは、デジタルチューナ４によって、データ放送コンテンツを受信し、表示手段２に表示出力すると共に、データ放送操作システム１に伝送出力する（ステップＳ１）。
【００４６】
続いて、データ放送操作システム１は、伝送変換手段３の映像伝送用トランスミッタ３ａによって、データ放送コンテンツを伝送し、映像伝送用レシーバ３ｂによって受信し、キャプチャユニット３ｃによって、変換データに変換する（ステップＳ２）。そして、データ放送操作システム１は、データ放送コンテンツダイレクト操作制御装置５のデータ放送出力手段５ａによって、再構築したデータ放送コンテンツを、ボタン生成手段５ｂによって生成した基本操作ボタンと共に、タッチパネルディスプレイ７に出力する（ステップＳ３）。
【００４７】
そして、データ放送操作システム１は、データ放送コンテンツダイレクト操作制御装置５の位置情報取得手段５ｃによって、タッチパネルディスプレイ７の表示画面が視聴者によって押下（接触）されたか否かを判定する（ステップＳ４）。データ放送操作システム１は、押下されたと判定するまで（ステップＳ４でＮｏ）待機し、押下されたと判定した場合（ステップＳ４でＹｅｓ）、項目判定手段５ｄによって、変換データと、位置情報と、フォーマット又はデータ構造に関する情報とに従って、視聴者によって押下された項目を判定する（ステップＳ５）。
【００４８】
そして、データ放送操作システム１は、操作信号組合せ生成手段５ｅによって、操作信号変換テーブル記憶手段５ｆに記憶されている操作信号変換テーブルを参照して、判定された項目に、カーソルを移動させ当該項目を決定するのに要する操作信号の組合せを生成する（ステップＳ６）。そして、データ放送操作システム１は、制御信号出力手段５ｇによって、操作信号の組合せを、学習リモコン９が出力するように制御する制御信号を出力する（ステップＳ７）。そして、データ放送操作システムＳは、学習リモコン９によって、入力された制御信号に従って、操作信号の組合せ（連続した操作信号）を出力する（ステップＳ８）。
【００４９】
以上、本発明の実施形態について説明したが、本発明は前記実施形態には限定されない。例えば、本実施形態では、データ放送コンテンツダイレクト操作制御装置５として説明したが、コンピュータを機能させるプログラム、すなわち、データ放送コンテンツダイレクト操作制御プログラムとして構成してもよい。
【図面の簡単な説明】
【００５０】
【図１】本発明の実施形態に係るデジタル放送番組・データ放送コンテンツ受信システム（データ放送操作システムを包含）のブロック図である。
【図２】図１に示したデジタル放送番組・データ放送コンテンツ受信システム（データ放送操作システムを包含）の全体動作を示したフローチャートである。
【図３】タッチパネルディスプレイに出力されたデータ放送コンテンツの例である。
【符号の説明】
【００５１】
１      データ放送操作システム
２      表示手段
３      伝送変換手段（受信変換手段を含む）
３ａ    映像伝送用トランスミッタ
３ｂ    映像伝送用レシーバ
３ｃ    キャプチャユニット
４      デジタルチューナ
５      データ放送コンテンツダイレクト操作制御装置
５ａ    データ放送コンテンツ出力手段
５ｂ    ボタン生成手段
５ｃ    位置情報取得手段
５ｄ    項目判定手段
５ｅ    操作信号組合せ生成手段
５ｆ    操作信号変換テーブル記憶手段
５ｇ    制御信号出力手段
７      タッチパネルディスプレイ
９      学習リモコン
【図１】
2008252754.tif 000003
【図２】
2008252754.tif 000004
【図３】
2008252754.tif 000005